【手続補正書】
【提出日】平成15年9月16日(2003.9.16)
【手続補正１】
【補正対象書類名】特許請求の範囲
【補正対象項目名】全文
【補正方法】変更
【補正の内容】
【特許請求の範囲】
【請求項１】
容器のためのハンドルであって、
前記ハンドルが、プラスチック製のベイル及び該ベイルの少なくとも一部分を外囲する少なくとも１つの一体式筒部を含むプラスチック製のスリーブ要素を含み、
前記スリーブ要素が前記容器を取り扱うための握り表面を提供し、
前記ベイルが第１端及び第２端を有し、前記容器と係合するために前記ベイルの前記両端の少なくとも一方に隣接して設けられたクリップ要素を含み、
前記クリップ要素が楕円形断面を有することを特徴とするハンドル。
【請求項２】
前記ベイルが、前記ベイル及び前記スリーブ要素間の荷重力を伝達する為に、複数の構造物を有することを特徴とする請求項１に記載のハンドル。
【請求項３】
前記スリーブ要素が前記ベイルに回転可能に取り付けられ、
前記ベイルの長手方向軸線に沿って選択された位置にて前記スリーブ要素を保持するべく、前記ベイル及び前記スリーブ要素上に設けられた互いに対応する係合構造を更に含むことを特徴とする請求項１に記載のハンドル。
【請求項４】
前記クリップ要素が、前記容器に対して選択された位置に前記ハンドルを位置決めし且つ係合させるための位置決め手段を更に含むことを特徴とする請求項１、請求項２、若しくは請求項３に記載のハンドル。
【請求項５】
前記容器が、概ね直立姿勢であって且つ運搬中若しくは使用中でない場合、前記位置決め手段が、前記ハンドルを概ね垂直姿勢に配置して維持することを特徴とする請求項４に記載のハンドル。
【請求項６】
容器を運搬するためのストラップ要素であって、
該ストラップ要素とそれを外囲する概ね円筒形をなすスリーブ要素との間の荷重力を分散させるべき、少なくとも１つの荷重分散構造を有する延長部分と、
前記ストラップ要素上に形成されたクリップ手段とを含み、
前記クリップ手段が、前記ストラップ要素の選択可能な位置決めを提供するべく、自らに少なくとも１つのリブ要素を有する楕円形のステムを含むことを特徴とするストラップ要素。
【請求項７】
少なくとも１つの前記荷重分散構造が、前記概ね円筒形をなすスリーブ要素の内部表面に設けられた１つ若しくは複数のビードと係合することを特徴とする請求項６に記載のストラップ要素。
【請求項８】
延長された容器のハンドルストラップ要素上に設けられた不変で一体のクリップ要素であって、
前記クリップ要素が広幅部、及び前記広幅部と前記ストラップ要素との間に位置する狭幅部とを有し、前記狭幅部が係合されている容器に対してハンドルの選択可能な位置決めを提供するべく少なくとも１つのリブ要素を自身に含むことを特徴とするクリップ要素。
【請求項９】
前記広幅部が、前記クリップ要素より間隔を開けた位置に於いて容器のハンドルの組立のために回転可能なスリーブを該広幅部を介してスライド可能とするべく構成されることを特徴とする請求項８に記載のクリップ要素。
【請求項１０】
前記狭幅部の断面が楕円であることを特徴とする請求項８若しくは請求項９に記載のクリップ要素。
【請求項１１】
容器とハンドルとを係合させるためのクリップ要素であって、
前記クリップ要素が狭幅部及び広幅部を有し、
前記狭幅部が通常ハンドルにかかる荷重の方向に前記クリップ要素に対してより強い強度を提供するべく、非円形の断面積を有し、
前記クリップ要素の前記狭幅部の断面が楕円であることを特徴とするクリップ要素。
【請求項１２】
容器とハンドルを接続する方法であって、
ａ）断面が楕円形状を有するステム部分を備えたクリップ要素を含む延長されたストラップを提供する過程と、
ｂ）前記楕円形状の断面積の短軸がスロットの軸線に対して概ね垂直であるように、前記容器上に形成された前記スロットに隣接して前記ステム部分を配置させる過程と、
ｃ）一般的には前記軸が互いに垂直である間、前記スロットのより広幅部に向かい前記スロットの狭幅部を通過して前記ステム部分をスライドさせる過程と、
ｄ）前記楕円形状の断面積の前記短軸が前記スロットの前記長軸に対して前記概ね垂直な配列以外をとるように、前記ステム部分を回転させる過程とを有することを特徴とする方法。
【請求項１３】
更に、前記ステム部分及び前記スロットの前記より広幅部上に設けられた少なくとも１対の共働係合要素を提供する過程と、
前記共働係合要素を係合させることで、前記ステムの回転に対して前記ハンドルを一時的に固定する過程とを有することを特徴とする請求項１２に記載の方法。
【請求項１４】
前記延長されたストラップ上の円筒状のスリーブ要素を組み立てる過程と、
前記スリーブ要素の内部表面上の位置決めビードと前記ストラップの係合部位とを係合させることで、前記円筒状のスリーブ要素と前記ストラップとを前記長手方向に沿って係合させる過程とを含む請求項１２若しくは請求項１３に記載の方法。
【請求項１５】
更に、前記ハンドルが一時的に固定される間、前記容器上に情報をプリントする過程を含む請求項１３に記載の方法。
【請求項１６】
前記過程が自動化されていることを特徴とする請求項１２若しくは請求項１３に記載の方法。
【請求項１７】
容器を運搬するためのストラップ要素であって、
該ストラップ要素が、それを外囲する概ね円筒形をなすスリーブ要素との間の荷重力を分散させるべき、少なくとも１つの荷重分散構造と、
前記ストラップ要素が容器と係合される場合、前記ストラップ要素の選択可能位置を提供する為の少なくとも１つのリブ要素を含む楕円形のステムを有するクリップ手段を含むことを特徴とするストラップ要素。
【請求項１８】
少なくとも１つの前記荷重分散構造が、前記概ね円筒形をなすスリーブ要素の内部表面に設けられた１つ若しくは複数のビードと係合することを特徴とする請求項１７に記載のストラップ要素。
【請求項１９】
前記ベイルと前記スリーブの間に作用する対応する係合構造を更に含み、
前記対応する係合構造がビード構造及び環状溝を有し、
前記ビード構造が前記環状溝内に配置されるべく形成されることを特徴とする請求項１に記載のハンドル。
【請求項２０】
容器のための容器とハンドルの組合せであって、
前記ハンドルがプラスチック製のベイル及び該ベイルの少なくとも一部分を外囲する少なくとも１つの一体式筒部を含むプラスチック製のスリーブ要素を含み、
前記スリーブ要素が前記容器を取り扱うための握り表面を提供し、
前記ベイルが第１端及び第２端を有し、
前記スリーブ要素が、前記容器と係合するために前記ベイルの前記両端の少なくとも一方に隣接して設けられたクリップ要素を含み、
前記クリップ要素の断面が楕円であることを特徴とする組合せ。
【請求項２１】
容器と、前記容器を輸送するためのストラップ要素との組合せであって、
前記ストラップ要素が、該ストラップ要素と、それを外囲する概ね円筒形をなすスリーブ要素との間の荷重力を分散させるべき、少なくとも１つの荷重分散構造を有する延長部分と、
前記ストラップ要素上に形成されたクリップ手段とを含み、
前記ストラップ要素が容器と係合される場合、前記クリップ手段が前記ストラップ要素の選択可能な位置決めを提供するべく、自らに少なくとも１つのリブ要素を有する楕円形のステムを含むことを特徴とする組合せ。
【請求項２２】
容器と、外囲する容器ハンドルストラップ要素のクリップ手段との組合せであって、
前記クリップ手段が、広幅部、及び前記広幅部と前記ストラップ要素との間に位置する狭幅部とを有し、前記狭幅部が係合されている前記容器に対してハンドルの選択可能な位置決めを提供するべく少なくとも１つのリブ要素を自身に含むことを特徴とする組合せ。
【請求項２３】
容器と、ハンドルを前記容器に係合させるためのクリップ要素との組合せであって、
前記クリップ要素が狭幅部及び広幅部を有し、
前記狭幅部が通常ハンドルにかかる荷重の方向に前記クリップ要素に対してより強い強度を提供するべく、非円形の断面積を有し、
前記クリップ要素の前記狭幅部の断面が楕円であることを特徴とする組合せ。
【請求項２４】
容器と、前記容器を輸送するためのストラップ要素との組合せであって、
前記ストラップ要素が、該ストラップ要素と、それを外囲する概ね円筒形をなすスリーブ要素との間の荷重力を分散させるべき、少なくとも１つの荷重分散構造と、
前記ストラップ要素が容器と係合される場合、前記クリップ手段が前記ストラップ要素の選択可能な位置決めを提供するべく、自らに少なくとも１つのリブ要素を有する楕円形のステムを有するクリップ手段とを含むことを特徴とする組合せ。
【請求項２５】
容器を運搬するためのストラップ構造であって、
端部に比較的可撓部分を有し、端部と端部の間に比較的非可撓部分を有する延長ストラップ要素と、
前記ストラップ要素の前記比較的非可撓部分の少なくとも一部に重なるような構造の概ね円筒形をなすスリーブ要素とを含み、
前記スリーブ要素が、前記ストラップ要素の前記比較的非可撓部分の長手方向軸に沿って回転可能であることを特徴とするストラップ構造。
【請求項２６】
前記ストラップ要素及びスリーブ要素上に、前記スリーブ要素が前記ストラップ要素の前記長手方向軸に沿って回転することを防止するための協働要素を更に含むことを特徴とする請求項２５に記載のストラップ構造。
【請求項２７】
前記ストラップ要素の前記比較的可撓部分が、概ね矩形の断面を有し、
前記スリーブ要素が、概ね円形の内部表面を有し、
前記ストラップ要素の前記比較的非可撓部分が、前記概ね矩形の断面の形状を超えて延在する少なくとも１つの軸受表面を含み、
前記軸受表面が、前記スリーブ要素の前記内部表面の少なくとも一部と回転可能に結合するべく形をなしていることを特徴とする請求項２５に記載のストラップ構造。
【請求項２８】
前記非可撓部分が、前記ストラップ要素の前記長手方向軸に概ね垂直な複数の概ね円形のディスクを含み、
前記ディスクが、前記スリーブ要素が周囲に配置されたときに、前記スリーブ要素の内部に嵌合するような大きさ及び形状をなし、
前記少なくとも１つの軸受表面が、少なくとも１つの前記ディスクを含むことを特徴とする請求項２７に記載のストラップ構造。
【請求項２９】
前記非可撓部分が、前記複数のディスク間に補剛リブを含み、
前記補剛リブが、前記ストラップ要素の前記長手方向軸に概ね平行であることを特徴とする請求項２８に記載のストラップ構造。
【請求項３０】
請求項２５、請求項２６、若しくは請求項２７に記載の前記ストラップ構造を容器に取り付ける方法であって、
前記ストラップ要素の前記比較的可撓部分の１つを挿入する過程と、
前記スリーブ要素を前記ストラップ要素の前記比較的非可撓部分上の位置に滑動させる過程と、
前記ストラップ要素の前記比較的可撓部分の少なくとも１つを屈曲し、その端部を前記容器に隣接して配置する過程と、
前記端部を前記容器の協働構造に係合させる過程とを含むことを特徴とする方法。
【請求項３１】
容器と、前記容器に取着されたプラスチック製の延長ベイルと、前記ベイルの中心部付近に回転可能に取り付けられたプラスチック製のスリーブ要素との組合せであって、
前記プラスチック製のスリーブ要素が、前記ベイルへの前記スリーブの選択的な取り付け及び前記ベイルからの前記スリーブの取り外しを可能にするための少なくとも１つの概ね可撓性を有する端部を有することを特徴とする組合せ。
【請求項３２】
概ね可撓性を有するストラップと協働スリーブとの組合せであって、
前記ストラップが、該ストラップを容器に係合させるための係合構造を端部に有し、
前記ストラップが、前記係合構造を含む前記ストラップの少なくとも約半分が前記スリーブを通過するような形状をなし、
それによって、前記ストラップ沿いのほぼ中間に前記スリーブを取り付け可能であり、
前記スリーブが、そのように前記ストラップに沿って取り付けられた際に、前記ストラップ上で回転可能であることを特徴とする組合せ。
【請求項３３】
前記ストラップ沿いのほぼ中間に前記スリーブを維持するために前記ストラップ及び前記スリーブ上の協働要素を更に含むことを特徴とする請求項３２に記載の組合せ。